(57)【特許請求の範囲】
【請求項１】
築造された堤体の上部を掘削する第１の工程と、この掘削された上面に所定の引張強度特性を有する第１の保護部材を敷設する第２の工程と、堤体の上面に敷設された第１の保護部材上に盛り土をする第３の工程と、遮水性を有する第２の保護部材を堤体の盛り土された面に敷設し、この第２の保護部材を上記第１の保護部材と接続する第４の工程とを有することを特徴とする土質貯水構造物の施工方法。
【請求項２】
設計プランに基づいて築造される予定の堤体を、上部を残して築造を中断する第１の工程と、上記築造途中の堤体のうち、盛り土される予定の上面に所定の引張強度特性を有する第１の保護部材を敷設する第２の工程と、堤体の上面に敷設された第１の保護部材上に盛り土をし、設計プランに基づいて堤体の築造を完了する第３の工程と、遮水性を有する第２の保護部材を堤体の盛り土された面に敷設し、この第２の保護部材を上記第１の保護部材と接続する第４の工程とを有することを特徴とする土質貯水構造物の施工方法。
【請求項３】
第１の保護部材の端部を堤体の水域側上流斜面と非水域側下流斜面とのうち少なくともいずれか一方に延長することを特徴とする請求項１または２に記載の土質貯水構造物の施工方法。
【請求項４】
第１の保護部材の端部を堤体の上流斜面側法先の地盤と下流斜面側法先の地盤とのうち少なくともいずれか一方に埋設することを特徴とする請求項３に記載の土質貯水構造物の施工方法。
【請求項５】
第２の保護部材の端部を堤体の下流斜面に延長することを特徴とする請求項１ないし４のうちいずれか１に記載の土質貯水構造物の施工方法。
【請求項６】
第２の保護部材の端部を堤体の下流斜面側法先の地盤に埋設することを特徴とする請求項５に記載の土質貯水構造物の施工方法。
【請求項７】
第２の保護部材の上面には、舗装が施されることを特徴とする請求項１ないし６のうちいずれか１に記載土質貯水構造物の施工方法。
【請求項８】
第１の保護部材を堤体の上流斜面に延長して敷設した後、浸食防止機能とフィルタ機能とのうち少なくともいずれか一方を有する第３の保護部材を、敷設された第１の保護部材上の、設計洪水水位以下の部位に敷設したことを特徴とする請求項３または４に記載の土質貯水構造物の施工方法。
【請求項９】
第１の保護部材を土木施工用網状部材により構成し、第２の保護部材を所定の引張強度特性を有する土木施工用網状部材に遮水性シート部材を一体に取り付けて構成したことを特徴とする請求項１または２に記載の土質貯水構造物の施工方法。
【請求項１０】
第３の保護部材を、透水性を有するシート部材に所定の引張強度特性を有する土木施工用網状部材を一体に取り付けて構成したことを特徴とする請求項８に記載の土質貯水構造物の施工方法。
【請求項１１】
第３の保護部材を、粒状のフィルタ材により構成するとともに、第１の保護部材に係止部材を設け、第３の保護部材を係止部材により第１の保護部材に係止させたことを特徴とする請求項８に記載の土質貯水構造物の施工方法。
【発明の詳細な説明】
【技術分野】
【０００１】
本発明は、土質貯水構造物の施工方法に関するものである。
【背景技術】
【０００２】
一般に、土質貯水構造物、すなわち、貯水用の堤体では、上流側斜面（水域側斜面）の浸食防止を図り、豪雨や地震に対する堤体自体の安定性を高めるようにすることが求められる。土質貯水構造物が損傷する原因として、貯水の波浪や浸透水による上流斜面の浸食、あるいは地震や豪雨による堤体のすべりがある。特に、農業用のため池は全国におよそ２１万個存在し、老朽化のために上記損傷が進んでおり、早急な改修が求められている。従来、係る改修の施工方法として、張りブロック工法やリップラップ工法（特許文献１参照）などが知られている。張りブロック工法は、上流側斜面にブロックを敷設し、浸食防止を図るものである。リップラップ工法も同様に浸食防止を図るものであり、斜面をリップラップ材（ロック材）で覆い、堤体上部から流動性の高いコンクリートを流し、コンクリートをリップラップ材間の空隙に充填するようにしている。
【０００３】
【特許文献１】特開平８−１７７０３４号公報（第２−３頁、図６）
【発明の開示】
【発明が解決しようとする課題】
【０００４】
しかしながら、上記従来の張りブロック工法やリップラップ工法では、浸食に対する上流側斜面保護のみをその目的とするため、堤体の安定性を向上させるためには、堤体上流側および下流側の傾斜勾配を緩くしなければならず、堤体が長大化してしまうという問題があった。また、上記従来の工法では、目詰まりが発生した場合、メンテナンスを行うことが困難になるという問題があった。
【０００５】
本発明は、上記課題を解決するためになされたもので、堤体を長大化させることなく安定性を容易に確保でき、しかもメンテナンスが容易な土質貯水構造物の施工方法を得ることを目的とする。
【課題を解決するための手段】
【０００６】
請求項１に係る土質貯水構造物の施工方法は、築造された堤体の上部を掘削する第１の工程と、この掘削された上面に所定の引張強度特性を有する第１の保護部材を敷設する第２の工程と、堤体の上面に敷設された第１の保護部材上に盛り土をする第３の工程と、遮水性を有する第２の保護部材を堤体の盛り土された面に敷設し、この第２の保護部材を上記第１の保護部材と接続する第４の工程とを有することを特徴とするものである。
【０００７】
請求項１に係る土質貯水構造物の施工方法では、築造された堤体の上部を掘削する第１の工程と、この掘削された上面に所定の引張強度特性を有する第１の保護部材を敷設する第２の工程と、堤体の上面に敷設された第１の保護部材上に盛り土をする第３の工程と、遮水性を有する第２の保護部材を堤体の盛り土された面に敷設し、この第２の保護部材を上記第１の保護部材と接続する第４の工程とを有することにより、堤体は上部が掘削された後、上面に第１の保護部材が敷設され、この第１の保護部材上に盛り土が施される。そして、この盛り土された面に第２の保護部材が敷設されて第１および第２の保護部材が接続されるので、盛り土は第２の保護部材と第１の保護部材とにより包み込まれ、堤体上部の土が両保護部材間に挟み込まれる。このため、堤体全体の安定性が向上する。
【０００８】
請求項２に係る土質貯水構造物の施工方法は、設計プランに基づいて築造される予定の堤体を、上部を残して築造を中断する第１の工程と、上記築造途中の堤体のうち、盛り土される予定の上面に所定の引張強度特性を有する第１の保護部材を敷設する第２の工程と、堤体の上面に敷設された第１の保護部材上に盛り土をし、設計プランに基づいて堤体の築造を完了する第３の工程と、遮水性を有する第２の保護部材を堤体の盛り土された面に敷設し、この第２の保護部材を上記第１の保護部材と接続する第４の工程とを有することを特徴とするものである。
【０００９】
請求項２に係る土質貯水構造物の施工方法では、設計プランに基づいて築造される予定の堤体を、上部を残して築造を中断する第１の工程と、上記築造途中の堤体のうち、盛り土される予定の上面に所定の引張強度特性を有する第１の保護部材を敷設する第２の工程と、堤体の上面に敷設された第１の保護部材上に盛り土をし、設計プランに基づいて堤体の築造を完了する第３の工程と、遮水性を有する第２の保護部材を堤体の盛り土された面に敷設し、この第２の保護部材を上記第１の保護部材と接続する第４の工程とを有することにより、堤体は築造完了前に上部を残して一旦築造が止められた後、上面に第１の保護部材が敷設され、この第１の保護部材上に盛り土が施される。そして、この盛り土された面に第２の保護部材が敷設されて第１および第２の保護部材が接続されるので、盛り土は第２の保護部材と第１の保護部材とより包み込まれ、堤体上部の土が両保護部材間に挟み込まれる。このため、堤体全体の安定性が向上する。
【００１０】
請求項３に係る土質貯水構造物の施工方法では、第１の保護部材の端部を堤体の水域側上流斜面と非水域側下流斜面とのうち少なくともいずれか一方に延長することを特徴とするものである。
【００１１】
請求項３に係る土質貯水構造物の施工方法では、第１の保護部材の端部を堤体の水域側上流斜面と非水域側下流斜面とのうち少なくともいずれか一方に延長することにより、第１の保護部材の端部を堤体の水域側上流斜面に延長すると、第２の保護部材と接続しやすくなるとともに上流斜面を保護することができる。また、その延長部分に上流斜面の損傷を防止する部材を取り付けやすくなる。第１の保護部材の端部を堤体の非水域側下流斜面に延長すると、第２の保護部材と接続しやすくなるとともに下流斜面を保護することができる。
【００１２】
請求項４に係る土質貯水構造物の施工方法では、第１の保護部材の端部を堤体の上流斜面側法先の地盤と下流斜面側法先の地盤とのうち少なくともいずれか一方に埋設することを特徴とするものである。
【００１３】
請求項４に係る土質貯水構造物の施工方法では、第１の保護部材の端部を堤体の上流斜面側法先の地盤と下流斜面側法先の地盤とのうち少なくともいずれか一方に埋設することにより、地震や豪雨に対する堤体の安定性が向上する。また、洪水時の越流に対し浸食を防止することができる。
【００１４】
請求項５に係る土質貯水構造物の施工方法は、第２の保護部材の端部を堤体の下流斜面に延長することを特徴とするものである。
【００１５】
請求項５に係る土質貯水構造物の施工方法では、第２の保護部材の端部を堤体の下流斜面に延長することにより、遮水面積を増大させ、堤体への雨水の浸透を減少させることができ、堤体の安定性が向上する。
【００１６】
請求項６に係る土質貯水構造物の施工方法は、第２の保護部材の端部を堤体の下流斜面側法先の地盤に埋設することを特徴とするものである。
【００１７】
請求項６に係る土質貯水構造物の施工方法では、第２の保護部材の端部を堤体の下流斜面側法先の地盤に埋設することにより、地震や豪雨に対する堤体の安定性が向上する。また、洪水時の越流に対し浸食を防止することができる。
【００１８】
請求項７に係る土質貯水構造物の施工方法は、第２の保護部材の上面には、舗装が施されることを特徴とするものである。
【００１９】
請求項７に係る土質貯水構造物の施工方法では、第２の保護部材の上面には、舗装が施されることにより、洪水時の越流に対し浸食を防止することができる。
【００２０】
請求項８に係る土質貯水構造物の施工方法は、第１の保護部材を堤体の上流斜面に延長して敷設した後、浸食防止機能とフィルタ機能とのうち少なくともいずれか一方を有する第３の保護部材を、敷設された第１の保護部材上の、設計洪水水位以下の部位に敷設したことを特徴とするものである。
【００２１】
請求項８に係る土質貯水構造物の施工方法では、第１の保護部材を堤体の上流斜面に延長して敷設した後、浸食防止機能とフィルタ機能とのうち少なくともいずれか一方を有する第３の保護部材を、敷設された第１の保護部材上の、設計洪水水位以下の部位に敷設したことにより、第３の保護部材が浸食防止特性を有する場合、貯水の波浪や浸透水による上流斜面の浸食が防止される。第３の保護部材がフィルタ特性を有する場合、水質浄化や植物の植生を促すことができる。第３の保護部材に目詰まりが発生した場合、第３の保護部材を交換するだけで済みメンテナンスが容易になる。
【００２２】
請求項９に係る土質貯水構造物の施工方法は、第１の保護部材を土木施工用網状部材により構成し、第２の保護部材を所定の引張強度特性を有する土木施工用網状部材に遮水性シート部材を一体に取り付けて構成したことを特徴とするものである。
【００２３】
請求項９に係る土質貯水構造物の施工方法では、第１の保護部材を土木施工用網状部材により構成し、第２の保護部材を所定の引張強度特性を有する土木施工用網状部材に遮水性シート部材を一体に取り付けて構成したことにより、従来のようなコンクリートブロックやロック材を用いた工法に比較して作業効率が向上する。
【００２４】
請求項１０に係る土質貯水構造物の施工方法は、第３の保護部材を、透水性を有するシート部材に所定の引張強度特性を有する土木施工用網状部材を一体に取り付けて構成したことを特徴とするものである。
【００２５】
請求項１０に係る土質貯水構造物の施工方法では、第３の保護部材を、透水性を有するシート部材に所定の引張強度特性を有する土木施工用網状部材を一体に取り付けて構成したことにより、浸食防止性能とフィルタ性能を向上させることができ、目詰まりしにくくなる。
【００２６】
請求項１１に係る土質貯水構造物の施工方法は、第３の保護部材を、粒状のフィルタ材により構成するとともに、第１の保護部材に係止部材を設け、第３の保護部材を係止部材により第１の保護部材に係止させたことを特徴とするものである。
【００２７】
請求項１１に係る土質貯水構造物の施工方法では、第３の保護部材を、粒状の透過材により構成するとともに、第１の保護部材に係止部材を設け、第３の保護部材を係止部材により第１の保護部材に係止させたことにより、第３の保護部材の交換が容易になる。
【発明の効果】
【００２８】
請求項１に係る土質貯水構造物の施工方法では、築造された堤体の上部を掘削する第１の工程と、この掘削された上面に所定の引張強度特性を有する第１の保護部材を敷設する第２の工程と、堤体の上面に敷設された第１の保護部材上に盛り土をする第３の工程と、遮水性を有する第２の保護部材を堤体の盛り土された面に敷設し、この第２の保護部材を上記第１の保護部材と接続する第４の工程とを有するようにしているので、築造された既成の堤体に対し、手間をかけることなく簡素な構成で堤体全体の安定性を向上させることができ、堤体をコンパクト化することができる。
【００２９】
請求項２に係る土質貯水構造物の施工方法では、設計プランに基づいて築造される予定の堤体を、上部を残して築造を中断する第１の工程と、上記築造途中の堤体のうち、盛り土される予定の上面に所定の引張強度特性を有する第１の保護部材を敷設する第２の工程と、堤体の上面に敷設された第１の保護部材上に盛り土をし、設計プランに基づいて堤体の築造を完了する第３の工程と、遮水性を有する第２の保護部材を堤体の盛り土された面に敷設し、この第２の保護部材を上記第１の保護部材と接続する第４の工程とを有するようにしているので、築造中に手間をかけることなく簡素な構成で堤体全体の安定性を向上させることができ、堤体をコンパクト化することができる。
【発明を実施するための最良の形態】
【００３０】
堤体を長大化させずに安定性を確保し、しかもメンテナンスが容易な土質貯水構造物の施工方法を得るという目的を、築造された既成の堤体の上部を掘削するか、あるいは、設計プランに基づいて築造される予定の堤体を上部を残して築造を中断した状態とする、すなわち、上部が欠落した状態の堤体に対し、この堤体の上面に所定の引張強度特性を有する第１の保護部材を敷設し、次に、堤体の上面に敷設された第１の保護部材上に盛り土をし、次に、遮水性を有する第２の保護部材を堤体の盛り土された面に敷設し、次に、この第２の保護部材を上記第１の保護部材と接続することにより実現した。
【実施例１】
【００３１】
以下図面に示す実施例により本発明を説明する。図１は、本発明の第１の実施例に係る土質貯水構造物の施工方法により築造された堤体の断面図、図２はその堤体の一部破断斜視図、図３の（Ａ）ないし（Ｆ）はそれぞれ、この実施例に係る土質貯水構造物の施工方法により堤体を築造する工程を順を追って示す説明図である。堤体（土質貯水構造物）２は、上流側が貯水された水域に臨み、下流側は非水域に臨むようになっている。堤体２は、予め築造され上流側に水が貯められた既成の堤体と、まだ築造されておらず、設計プランに基づいて築造される予定の、貯水水域が存在しない堤体との２通りがあり、第１の実施例では、すでに上流側に水域がある既成の堤体２について、後述する第２の実施例では、これから築造される予定の堤体２についてそれぞれ説明する。
【００３２】
堤体２の施工にあたり、予め、所定の引張強度特性を有するジオグリッド（第１の保護部材）５と、遮水性を有する遮水材（第２の保護部材）６と、浸食防止機能とフィルタ機能とを有する透水保護材（第３の保護部材）７とを準備する。ジオグリッド５は、引張抵抗性のある構成要素が連結した規則的な格子構造からなるシート状のもので、主に高分子材料からなる土木施工用の製品である。この第１の保護部材は、一例にジオグリッドを示しているが、これに限られるものではなく、シート状で、通水性を有し、所定の引張抵抗性のある材料であればよいことはいうまでもない。遮水材６は、ジオメンブレンにジオグリッドを一体に取り付けて構成される。ジオメンブレンは、シート状または帯状の高分子材料からなる土木用途に使用される遮水性を有する材料である。透水保護材７には、例えば、ジオテキスタイルが用いられる。ジオテキスタイル７は、織布、不織布または編物からなり、土木用途に使用される透水性（フィルタ性）を有するシート状材料である。透水保護材７は、ジオテキスタイルに限られるものではなく、浸食防止機能とフィルタ機能とを有するシート状材料であればよいことはいうまでもない。また、この透水保護材７は必ずしも浸食防止機能とフィルタ機能との両方を備えていなければならないものではなく、現場の状況に応じて、あるいは、コストに応じて浸食防止機能とフィルタ機能とのいずれか一方を備えた材料を用いてもよい。図１および図２では、理解を助けるために、ジオグリッド５、遮水材６および透水保護材７の厚さを誇張して示している。
【００３３】
既成の堤体２は、図３の（Ａ）に示すように、上流側傾斜面２Ａが水域３に、下流側傾斜面２Ｂが非水域４にそれぞれ臨んでいる。まず初めに、水域３に貯められた水を排出した後、堤体２の上部を所定のレベルＬ１まで掘削し、平坦な掘削面（上面）８を形成する（第１の工程、図３の（Ｂ）参照）。この所定のレベルＬ１は、予め定められた堤体２の設計洪水水位より上方の位置となっている。次に、この掘削された堤体２の掘削面８にシート状のジオグリッド５を敷設する（第２の工程、図３の（Ｃ）参照）。ジオグリッド５の上下流側両端部は、掘削面８の上流側と下流側との両側端を結ぶ長さより長く形成されており、敷設時、ジオグリッド５の下流側一端部５Ｂを下流側傾斜面２Ｂの途中の位置Ｐ１まで、上流側他端部５Ａを上流側傾斜面２Ａの下端位置Ｐ２まで延長して敷設する。ジオグリッド５は、上流側傾斜面２Ａに敷かれた部分と下流側傾斜面２Ｂに敷かれた部分とにずれ防止用のピン９を打って敷設されるようになっている。なお、このとき、上下流側両端がより長寸に形成されたジオグリッドを用い、ジオグリッド５の下流側一端を下流側傾斜面２Ｂの下流側法先部Ｐ３まで延長するようにしてもよい
【００３４】
次に、掘削面８に敷設されたジオグリッド５上に、前記第１の工程で発生した掘削土Ｓ１により盛り土をし、掘削面８に敷設されたジオグリッド５を土中に埋め込む（第３の工程、図３の（Ｄ）参照）。次に、シート状遮水材６を、盛り土Ｓ１の上に被せ、上流側一端部６Ａを上流側傾斜面２Ａに露出されたジオグリッド５の上端部５Ｃと連結させ、下流側他端部６Ｂを下流側傾斜面２Ｂに露出されたジオグリッド５の露出面に重ね合わせて連結する（第４の工程、図３の（Ｅ）参照）。そして、遮水材６の上面平坦部（天端表面）６Ｃには、簡易舗装（図示せず）を施す。なお、簡易舗装は、上面平坦部６Ｃだけでなく、遮水材６の斜面にも施すようにしてもよい。このように、盛り土Ｓ１は遮水材６とジオグリッド５とにより包み込まれ、堤体２上部の土Ｓ１が両部材５、６間に挟み込まれる。このため、堤体２上部には遮水部が形成され、堤体２への雨水の浸透を減少させることができ、堤体２の安定性が向上する。
【００３５】
次に、上流側傾斜面２Ａに露出されたジオグリッド５の露出面５Ｄに、シート状の透水保護材７を取り外し可能に敷設する（第５の工程、図３の（Ｆ）参照）。この透水保護材７は、堤体２の設計洪水水位以下の部位に敷設される。上流側傾斜面２Ａのジオグリッド５上に透水保護材７を敷設することにより、貯水の波浪や浸透水による堤体２の上流斜面２Ａの浸食が防止されるとともに、水質浄化や植物の植生を促すことができる。また、たとえ、透水保護材７に目詰まりが発生しても、ジオグリッド５上の透水保護材７を交換するだけで済みメンテナンスが容易になる。
【００３６】
このように、上記第１の実施例に係る土質貯水構造物の施工方法では、盛り土Ｓ１を遮水材６とジオグリッド５とにより包み込み、堤体２上部の盛り土Ｓ１をこれら両部材５、６間に挟み込むようにしているので、堤体２上部には遮水部が形成され、堤体２への雨水の浸透を減少させることができ、堤体２の安定性が向上する。また、上流側傾斜面２Ａのジオグリッド５上に透水保護材７を敷設するようにしているので、堤体２の上流斜面２Ａの浸食が防止されるとともに、たとえ、透水保護材７に目詰まりが発生しても、メンテナンスが容易になる。さらに、堤体２の上部を掘削するだけで済むので、わずかな掘削量で施工することことができ、作業の短縮化やコストダウンを図ることができる。また、透水保護材７のフィルタ材料を選択することにより、上流斜面の緑化や貯水の浄化を行うこともできる。
【実施例２】
【００３７】
次に、本発明の第２の実施例に係る土質貯水構造物の施工方法について説明する。第２の実施例に係る土質貯水構造物の施工方法は、上記第１の実施例に係る施工方法が、第１の工程で、すでに築造された既成の堤体２の上部を掘削するようにしているのに対し、本実施例では、第１の工程で、設計プランに基づいて築造される予定の堤体を、築造途中で上部を残して所定のレベルＬ１の高さで築造を中断し、上部が欠けた状態の堤体１０２（図３の（Ｂ）に示す状態の堤体２に対応する。）とする点が異なっている以外は、上記第１の実施例に係る施工方法とほぼ同一の工程を備えている。すなわち、第２の実施例に係る土質貯水構造物の施工方法では、堤体１０２の築造途中で、上面８が設計洪水水位以上の所定の高さＬ１に達すると、ジオグリッド５を敷設し（第２の工程（第１の実施例の第２の工程参照）、次に、ジオグリッド５上に、運び込まれた土砂Ｓ２により盛り土をし、ジオグリッド５を土中に埋め込む（第３の工程、（第１の実施例の第３の工程参照））。次に、遮水材６を、盛り土Ｓ２の上に被せ、遮水材６の上流側一端部６Ａを、上流側傾斜面２Ａに露出されたジオグリッド５の上端部５Ｃと連結させ、下流側他端部６Ｂを、下流側傾斜面２Ｂに露出されたジオグリッド５の露出面に重ね合わせて連結し（第４の工程、（第１の実施例の第４の工程参照））、次に、上流側傾斜面２Ａに露出されたジオグリッド５の露出面５Ｄに、シート状透水保護材７を敷設するようになっている（第５の工程、（第１の実施例の第５の工程参照））。
【実施例３】
【００３８】
図４の（Ａ）、（Ｂ）は、上記第１および第２の実施例の土質貯水構造物の施工方法の第１の変形例に係るもので、上記第１および第２の実施例の土質貯水構造物の施工方法では、第５の工程で上流側傾斜面２Ａに露出されたジオグリッド５の露出面５Ｄに、ジオテキスタイルからなる透水保護材７を敷設するようにしているのに対し、この第１の変形例に係る施工方法では、透水保護材７の上面に、ジオグリッドなどの網状の面材料１０を敷設して固定するようにしている。このように構成することにより、透水保護材７の強度を向上させ、長寿命化を図ることができる。
【実施例４】
【００３９】
図５は、上記第１および第２の実施例の土質貯水構造物の施工方法の第２の変形例に係るもので、上記第１の変形例では、第５の工程で上流側傾斜面２Ａに露出されたジオグリッド５の露出面５Ｄに、ジオテキスタイルからなる透水保護材７を敷設し、さらに、この透水保護材７の上面に、ジオグリッドなどの網状の面材料１０を敷設して固定するようにしているのに対し、この第２の変形例に係る施工方法では、上流側傾斜面２Ａに露出したジオグリッド５にフック（係止部材）１１を取り付け、フック１１間にフィルター機能を有する粒状材料１２を投入し、これら粒状材料１２をフック１１で係止するようにしている。この粒状材料１２は水質浄化材や水草の培養土により構成され、景観や環境に配慮した斜面保護が可能となる。たとえ目詰まりが発生しても、粒状材料１１を交換するだけで済み、メンテナンスが容易になる。
【実施例５】
【００４０】
図６は、第３の実施例の土質貯水構造物の施工方法に係るもので、上記第１および第２の実施例に係る土質貯水構造物の施工方法では、ジオグリッド５の上流側他端部５Ａを上流側傾斜面２Ａの下端位置Ｐ２まで延長し、遮水材６の下流側他端部６Ｂを、下流側傾斜面２Ｂに露出されたジオグリッド５の露出面に重ね合わせて連結するようにしているのに対し、第３の実施例では、ジオグリッド３５の上流側他端部３５Ａを上流側傾斜面２Ａの下端位置Ｐ２よりさらに延長するとともに、この他端部３５Ａを、堤体２、１０２の上流側法先部Ｐ４の基礎地盤内に埋設するとともに、遮水材３６の下流側他端部３６Ｂを延長し、下流側法先部Ｐ３の基礎地盤内に埋設するようにしている。このように構成することにより、地震や豪雨に対する安定性を飛躍的に向上させることができ、また、豪雨時などの越流に対する浸食を防止することができる。さらに、ジオグリッド３５の下流側一端部３５Ｂを下流側に延長して下流側法先部Ｐ３の基礎地盤内に埋設してもよいし、遮水材３６の上流側一端部３６Ａを上流側に延長し、上流側法先部Ｐ４の基礎地盤内に埋設するようにしてもよい。また、ジオグリッド３５の両端３５Ａ、３５Ｂを両法先部Ｐ４、Ｐ３に埋設するようにしてもよいし、遮水材３６の両端３６Ａ、３６Ｂを両法先部Ｐ４、Ｐ３に埋設するようにしてもよい。
【００４１】
なお、上記各実施例および各変形例で用いられるジオテキスタイルは、織布、不織布および編物、あるいはジオグリッド、ジオネットおよびメンブレンなどジオテキスタイル関連製品を含むものと定義する。例えば、種類として、ジオウォーブン（織物、織布、geowoven, woven geotextile）、ジオノンウォーブン（不織布、geononwoven, nonwoven geotextile）、ジオニット（緬物、geoknitted, knitted geotextile）、ジオグリッド（geogrid）、ジオネット（geonet）、ジオテキスタイル関連製品（geotextile-related product）、ジオコンポジット（複合製品、geocomposite）等がある。ジオウォーブンとは、縦糸と横糸を用いて織った織物で、土木などの用途に使用される製品である。ジオノンウォーブンとは、規則的または不規則的に配列した繊維を製織せずに機械的、化学的または熱的方法によって結合した不織布で、土木などの用途に使用される製品である。繊維の長さにより長い繊維と短繊維のものに大別できる。ジオユニットとは、連続した糸、繊維などによって緬目で構成した編物で、土木などの用途に使用される製品である。ジオグリッドとは、引張抵抗性のある構成要素が連結した規則的な格子構造からなるシート状のもので、主に高分子材料からなる製品である。ジオネットとは、開口部が構成要素の占める面積より大きい網目構造を持つシート状のもので、土木などの用途に使用される高分子材料の製品である。交点部は結節あるいは一体となっており、一般のジオウォーブン、ジオニットとは区別されている。ジオテキスタイル関連製品とは、狭義のジオテキスタイル、ジオグリッドおよびジオネット以外で、シート状または帯状の高分子材料からなる土木用途に使用される製品である。ジオコンポジットとは、狭義のジオテキスタイル、ジオグリッド、ジオネットなどを任意に組み合わせて一体とした複合製品である。単一製品の長所をお互い組み合わせて必要な機能を発揮させるため複合されている。
【図面の簡単な説明】
【００４２】
【図１】本発明の第１および第２の実施例に係る土質貯水構造物の施工方法により施工された堤体を示す断面である。（実施例１）
【図２】図１の堤体について保護部材を誇張して示す破断斜視図である。
【図３】（Ａ）ないし（Ｆ）はそれぞれ、第１の実施例に係る土質貯水構造物の施工方法により堤体を築造する工程を順を追って示す説明図である。（実施例２）
【図４】（Ａ）および（Ｂ）はそれぞれ、図１の変形例に係る土質貯水構造物の施工方法により施工された堤体を示す断面図およびその堤体について保護部材を誇張して示す一部破断斜視図である。（実施例３）
【図５】図１の第２の変形例に係る堤体を示す断面図である。（実施例４）
【図６】本発明の第３の実施例に係る土質貯水構造物の施工方法により施工された堤体を示す断面である。（実施例５）
【符号の説明】
【００４３】
２、１０２  堤体
５  ジオグリッド（第１の保護部材）
６  遮水材（第２の保護部材）
８  掘削面（上面）
Ｓ１、Ｓ２  盛り土
【図１】
0004696305.tif 000002
【図２】
0004696305.tif 000003
【図３】
0004696305.tif 000004
【図４】
0004696305.tif 000005
【図５】
0004696305.tif 000006
【図６】
0004696305.tif 000007